(57)【要約】【課題】ドア開閉時のみならず、カンガルーポケットに収納されている操作部を出現させたときにマイコンを含む周辺回路の電源をＯＮし、操作可能にする。【解決手段】被加熱物を収容する加熱室に設けられたドア２と、被加熱物を加熱する加熱手段１と、加熱手段を制御する制御回路３と、制御手段３へ電力を供給する電源回路４と、電源回路４と制御手段３との間に設けられ制御手段３への電力を供給する電力開閉手段５と、電力開閉手段５のＯＮ／ＯＦＦ動作を制御する保持手段６と、操作部９を格納する格納手段７とを備え、ドア開／閉時または格納手段７より操作部９を出現させたときに制御手段３は電源回路４からの電力供給を開始する。【選択図】図１
2010133673.tif 000002
【特許請求の範囲】
【請求項１】
被加熱物を収容する加熱室に設けられたドアと、前記加熱室内の被加熱物を加熱する加熱手段と、前記加熱手段を制御する制御手段と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、操作部を格納する格納手段とを備え、ドア開／閉時または前記格納手段より前記操作部を出現させたときに前記制御手段は前記電源回路からの電力供給を開始することを特徴とする加熱調理器。
【発明の詳細な説明】
【技術分野】
【０００１】
本発明は、マイクロコンピュータ（以下、マイコンと称す）を用いた加熱調理器に関するものである。
【背景技術】
【０００２】
マイコンを備えた制御回路で制御される高周波加熱装置は、従来装置では加熱調理を行なっていない時でも、キー入力の検出や時計動作等のために、常に制御回路に電力が供給されていた。しかし一日の使用時間が大変短い装置にあってその制御回路に常に電力を供給し続けるのは、たとえ消費される電力が１Ｗといった小さいものであっても、長い時間に亘れば膨大なエネルギーロスとなった。
【０００３】
そこで最近、電子レンジ等の家電機器において待機電力を少なくしようという要求が出てきている。そのための具体的な回路として、商用電源とその電源回路４との間にドアスイッチを介設して、ドアの開成でドアスイッチがＯＮ動作し、ドアの閉成でＯＦＦ動作し自己保持する高周波加熱装置がある（例えば、特許文献１参照）。
【０００４】
図３は、特許文献１記載の高周波加熱装置の構成を示すブロック図である。図３において、特許文献１記載の高周波加熱装置は、ドア２が閉まっているときは、負荷を商用電源に接続し、制御手段３への電力の供給は遮断しているが、ドア２を開けると負荷と商用電源の接続を切り離し、制御手段３へ電力を供給し、制御手段３へ電力を供給すると制御手段３の動作に必要な直流電流が作られる。
【０００５】
そこで、食品を加熱室に入れるためにドア２を開けると、制御手段３の電源回路４に電力が供給され、マイコンは一定のタイマ時間を設定する。そしてドア２が閉められた後タイマ時間の減算を開始し、その間にキー入力信号またはドアスイッチ回路からのドア開閉信号が入力されない場合、残り時間がゼロになった時点で制御手段３への電力の供給を遮断するようにしている。
【０００６】
なお、残り時間がゼロになる前にキー入力やドアスイッチ回路からの信号が入力されると、タイマ時間は再設定され、制御手段３への電力遮断は延期される。このタイマの時間値については、調理者がキー入力で調理メニューを設定したり、または調理が終了したことを表示回路で確認するのに十分な長さにしたりしてある。
【０００７】
また、調理者が食品を加熱室内に入れてドア２を閉め、キー入力をした後で、加熱を開始させた時には、マイコンはタイマ減算状態から調理状態となる。そしてマイコンは調理終了後にタイマを再設定して減算を始める。
【０００８】
なお、調理プログラムに沿ってドア２が開閉されるときには、ドア２が開けられてから再び閉められても電子レンジの不使用状態が始まったとは判断しないようにしてあり、あくまでも調理プログラムが完遂された後、ないし調理プログラムが取り消された後の所定のタイマ時間内にドア開閉やキー入力がなかった時にのみ制御手段３への電力の供給を遮断するようにしている。そして、制御手段３への電力の供給を遮断した後に、ドア２が開けられると、制御手段３への通電が再開される。
【０００９】
このようにして、調理器として使用されていないときに制御手段３への通電が行なわれないようにして無駄な電力を消費しないようにするものである。
【００１０】
しかしながら、この電子レンジでは、ドア２を閉じなければ従来通りの電力を消費してしまい、待機電力をＯＦＦするためには、必ずドア２を閉じておかねばならないという欠点を有していた。
【００１１】
電子レンジは調理終了後、オーブン庫内が非常に熱くなっているため、ドア２を開けた状態で冷却する人も多く、場合によってはドア２を開けっ放しにしている人もいるのが実状であるが、この場合は全く省電力にはならなかった。
【００１２】
また、調理の設定及び調理中以外は制御手段３に通電する必要はないにもかかわらず、ここでは食品を電子レンジの庫内に入れた後のドア２が閉じられた時点でもう通電を開始するので、無駄な電力が消費されることとなった。
【００１３】
さらに、制御手段３への電力の供給を行うのに、商用電源との間にトランスを介しているので、不使用時であってもトランスの無負荷損（銅損、鉄損）が２５０ｍＷ程度発生し、省エネルギー上問題があった。
【００１４】
この欠点を解決するものとして、ドア２の開閉状態に関わらず、非使用時の電力を低減した家電機器が提案された（例えば、特許文献２参照）。
【００１５】
特許文献２に記載の高周波加熱装置は、ドア２の開成／閉成があったことを微分で検知したら制御手段３を自己保持させ、その後、所定時間経過しても新たにドア２の開成／閉成がないとき、または入力がないときは、制御手段３への電力供給をＯＦＦさせるようにしている。
【００１６】
このようにすれば、ドア２の開成及び閉成の如何に関わらず、ドア２を操作して初めて電力開閉手段５がＯＮし、マイコン及び周辺回路といった制御手段に電力が供給され、所定時間中に動作が遷移しない場合は、ドア２の開成及び閉成の如何に関わらず、制御手段への電力の供給をＯＦＦすることができるようになった。
【００１７】
このようにすれば、ドア２を開けっ放しにしていてもやがて制御手段への電力の供給がＯＦＦされるので、省エネルギーとなった。
【特許文献１】特開平７−２１７９０６号公報
【特許文献２】特開２００２−２２１８１号公報
【発明の開示】
【発明が解決しようとする課題】
【００１８】
しかしながら、使用していないときには操作部を格納するいわゆるカンガルーポケットタイプの機種において前記従来の構成では、ユーザーが操作部を出現させ操作しようとした場合でも、待機状態のままであるため操作が行えないという課題を有していた。
【００１９】
本発明は、前記従来の課題を解決するもので、ドア開／閉によりマイコン及び周辺回路といった制御手段に電力が供給させるだけではなく、ユーザーが操作部を出現させたときにもマイコン及び周辺回路といった制御手段に電力を供給する構成とした加熱調理器を提供することを目的とする。
【課題を解決するための手段】
【００２０】
前記従来の課題を解決するために、本発明の加熱調理器は、被加熱物を収容する加熱室に設けられたドアと、前記加熱室内の被加熱物を加熱する加熱手段と、前記加熱手段を制御する制御回路と、前記制御手段へ電力を供給する電源回路と、前記電源回路と前記制御手段との間に設けられ前記制御手段への電力を供給する電力開閉手段と、前記電力開閉手
段のＯＮ／ＯＦＦ動作を制御する保持手段と、操作部を格納する格納手段とを備え、ドア開／閉時または前記格納手段より前記操作部を出現させたときに前記制御手段は前記電源回路からの電力供給を開始することを特徴としたものである。
【発明の効果】
【００２１】
本発明の加熱調理器は、待機電力ＯＦＦ状態でユーザーがドア開閉する前に操作を行おうとしている場合に、使用していないときには収納しているカンガルーポケット構成の操作部を出現させたときに、待機電力ＯＦＦ状態を解除することにより、表示しないやキーが効かない等の違和感なくすぐに操作設定することができる。
【発明を実施するための最良の形態】
【００２２】
第１の発明は前記従来の課題を解決するために、本発明の加熱調理器は、被加熱物を収容する加熱室に設けられたドアと、前記加熱室内の被加熱物を加熱する加熱手段と、前記加熱手段を制御する制御回路と、前記制御手段へ電力を供給する電源回路と、前記電源回路と前記制御手段との間に設けられ前記制御手段への電力を供給する電力開閉手段と、前記電力開閉手段のＯＮ／ＯＦＦ動作を制御する保持手段と、操作部を格納する格納手段とを備え、ドア開／閉時または前記格納手段より前記操作部を出現させたときに前記制御手段は前記電源回路からの電力供給を開始することを特徴としたものである。
【００２３】
これによって、待機電力ＯＦＦ状態でユーザーがドア開閉する前に操作をするために操作部を出現させたときにも、すぐに操作設定を行うことができる。
【００２４】
以下、本発明の実施の形態について、図面を参照しながら説明する。なお、この実施の形態によって本発明が限定されるものではなく、従来の構成と同一のものには同一の符号を付しその説明を省略する。
【００２５】
（実施の形態）
図１は、本発明の実施の形態における加熱調理器の構成を示すブロック図である。図２は、本実施の形態における操作部９の外観図であり、図２（ａ）、（ｂ）はそれぞれ、カンガルーポケット８が閉され、カンガルーポケット８に操作部９が格納されているときの図、カンガルーポケット８が開かれ、カンガルーポケット８から操作部９を出現させたときの図である。
【００２６】
図１において、マイコン（図示せず）は制御手段３を用いて加熱手段１を制御し、ドア２または格納手段７またはキーなどの入力手段（図示せず）の情報によりユーザーの使用／未使用状態を判断し、保持手段６を制御して電力開閉手段５をＯＮ／ＯＦＦすることにより、電源回路４からマイコンに供給される電源がＯＮ／ＯＦＦされる構成となっている。
【００２７】
以上のように構成された加熱調理器について、以下にその動作、作用を説明する。
【００２８】
まず、ドア開閉を行い食品を庫内に入れてから操作を行うユーザーの場合、マイコンに電源を供給されていない状態からドア開／閉のエッジ信号により電力開閉手段５をＯＮさせマイコンに電源を供給する。それにより表示部がブランクから０表示に変化し、操作できる状態であることをユーザーに知らせる。次に普段は収納されているカンガルーポケット８を押すことにより操作部９が出現し、操作を行うことが出来る。
【００２９】
次に、操作を行ってからドア開閉を行い、食品を庫内に入れるユーザーの場合、カンガルーポケット８を押すことによりカンガルーポケット８を開き、カンガルーポケット８の開エッジ信号により電力開閉手段５をＯＮさせマイコンに電源を供給する。それにより表
示部がブランクから０表示に変化し、操作できる状態であることをユーザーに知らせる。ユーザーは調理するための操作を行ってからドア開閉で食品を庫内に入れる。
【００３０】
以上のように、本実施の形態においてドア開閉の前にカンガルーポケット８を開けたときに電源をＯＮすることによりユーザーがスムーズに操作を行うことができる。
【００３１】
図２（ａ）に示すように、普段ユーザーが使用しないときにはこのように操作部９を格納することで見た目もすっきりし、汚れ等も防ぐことができる。次に、図２（ｂ）に示すように、操作部を格納している状態からカンガルーポケット８の中央部を押すことで操作部９が出現するような構成になっている。
【００３２】
図２（ａ）から図２（ｂ）のような状態になり、操作部９が出現してユーザーが操作可能となったときに電力開閉手段５をＯＮさせマイコンに電源を供給する。
【産業上の利用可能性】
【００３３】
以上のように、本発明の加熱調理器は、ユーザーが使用しないときには操作部を格納するタイプの機器においては、加熱調理器のみならず他の家電機器への展開も図れる。
【図面の簡単な説明】
【００３４】
【図１】本発明の実施の形態における加熱調理器のブロック図
【図２】本発明の実施の形態における操作部９の外観図
【図３】従来の加熱調理器における加熱調理器のブロック図
【符号の説明】
【００３５】
１  加熱手段
２  ドア
３  制御手段
４  電源回路
５  電力開閉手段
６  保持手段
７  格納手段
８  操作部
９  カンガルーポケット
【図１】
2010133673.tif 000003
【図２】
2010133673.tif 000004
【図３】
2010133673.tif 000005